(57)【要約】【課題】電子機器の機構部に関わらず基板を機構部の上方に水平配置することができる基板支持構造及びその基板支持構造を備えた制御装置並びにその制御装置を備えた電子機器を提供すること。【解決手段】電子機器１００のハウジング１０１内の上部に水平配置された基板１７１を支持する独立構成の支持柱１８１を備えている。この基板は、ハウジング内に配設される機構部１５０、１６０のフレーム１０３の上方に離間して配置されている。これにより、電子機器の機構部に左右されずに機構部の上方に水平配置される基板を支持することができる。そして、機構部のフレームと基板とは直接接触しないので、機構部が基板を上方に水平配置する機種専用となることを防止することができる。【選択図】図５
2008044132.tif 000002
【特許請求の範囲】
【請求項１】
電子機器のハウジング内の上部に水平配置された基板を支持する独立構成の支持柱を備えたことを特徴とする基板支持構造。
【請求項２】
前記基板は、前記ハウジング内に配設される機構部のフレームの上方に離間して配置されていることを特徴とする請求項１に記載の基板支持構造。
【請求項３】
前記支持柱は、下部の前記ハウジングに設置されていることを特徴とする請求項１又は２に記載の基板支持構造。
【請求項４】
前記基板は、前記支持柱のみにより支持されていることを特徴とする請求項１〜３の何れか一項に記載の基板支持構造。
【請求項５】
前記支持柱は、前記基板の一角部を支持することを特徴とする請求項４に記載の基板支持構造。
【請求項６】
前記支持柱は、板金により製作されていることを特徴とする請求項１〜５の何れか一項に記載の基板支持構造。
【請求項７】
基板を備えた制御装置であって、
請求項１〜６の何れか一項に記載の基板支持構造を備えたことを特徴とする制御装置。
【請求項８】
請求項７に記載の制御装置を備えたことを特徴とする電子機器。
【発明の詳細な説明】
【技術分野】
【０００１】
本発明は、電子機器のハウジングの上方に水平配置された基板を支持する基板支持構造及びその基板支持構造を備えた制御装置並びにその制御装置を備えた電子機器に関する。
【背景技術】
【０００２】
電子機器の１つである例えばプリンタの小型化を進める上でプリンタ本体に内蔵される回路基板の配置は重要であるが、プリンタ本体の上方に水平配置することが小型化に有効であることが知られている。この場合、プリンタ本体の上方に水平配置される回路基板の下方には、プリンタ本体に内蔵される記録部や用紙搬送部等の機構部が配設されているため、当該回路基板は当該機構部が配設されるフレームに支持されている（特許文献１参照）。
【０００３】
【特許文献１】特開２００５−２４６８８３号公報
【発明の開示】
【発明が解決しようとする課題】
【０００４】
上述した従来の基板支持構造は、記録部のヘッドの移動軌跡や用紙搬送部の給紙経路を避ける形で回路基板を支持するが、当該機構部が回路基板を上方に水平配置する機種専用となる。
【０００５】
本発明は、上記のような課題に鑑みなされたものであり、その目的は、電子機器の機構部に関わらず基板を機構部の上方に水平配置することができる基板支持構造及びその基板支持構造を備えた制御装置並びにその制御装置を備えた電子機器を提供することにある。
【課題を解決するための手段】
【０００６】
上記目的達成のため、本発明の基板支持構造では、電子機器のハウジング内の上部に水平配置された基板を支持する独立構成の支持柱を備えたことを特徴としている。これにより、電子機器の機構部に左右されずに機構部の上方に水平配置される基板を支持することができる。また、前記基板は、前記ハウジング内に配設される機構部のフレームの上方に離間して配置されていることを特徴としている。これにより、機構部のフレームと基板とは直接接触しないので、機構部が基板を上方に水平配置する機種専用となることを防止することができる。
【０００７】
また、前記支持柱は、下部の前記ハウジングに設置されていることを特徴としている。これにより、機構部の形状に左右されずに空いている所に支持柱を配置することができる。また、前記基板は、前記支持柱のみにより支持されていることを特徴としている。これにより、特に上部のハウジングを最後まで組付けなくても電子機器の生産時の機構部のテストが可能となる。また、前記支持柱は、前記基板の一角部を支持することを特徴としている。これにより、支持柱は１本のみで良いので、支持柱の配置の自由度を高めることができる。また、前記支持柱は、板金により製作されていることを特徴としている。これにより、支持柱を低コストで製作することができる。
【０００８】
上記目的達成のため、本発明の制御装置は、基板を備えた制御装置であって、上記各基板支持構造を備えたことを特徴としている。また、上記目的達成のため、本発明の電子機器は、上記制御装置を備えたことを特徴としている。これにより、上記各作用効果を奏する基板支持構造又は電子機器を提供することが可能である。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係る基板支持構造を備えた電子機器である記録装置の外観構成の全体を示す斜視図、図２は、その内部構造を示す斜視図である。この記録装置はインクジェット式プリンタ１００であり、例えば名刺、カード、Ｌ判／２Ｌ判、ハガキ、六切やＪＩＳ規格のＡ６判からＡ４判までのサイズの単票紙に記録することができる機能を備えている。このインクジェット式プリンタ１００は、図１に示すように、全体が略直方体状のハウジング１０１で覆われている。ハウジング１０１の上部開口部は、開閉自在なカバー１０２によって覆われている。このカバー１０２は、後端の回転軸を中心に図示矢印ａ方向に回動可能に取り付けられている。ユーザは、カバー１０２を開放することにより、インクカートリッジの交換作業や内部機構のメンテナンス作業等を容易に行うことができる。また、ハウジング１０１の上面における前面側には操作部１１０が配設され、前面における中央上部にはメモリカードスロット部１２０が配設され、上面における背面側には給紙部１３０が配設され、前面側には排紙部１４０が配設されている。また、ハウジング１０１の内部には、図２に示すように、用紙搬送部１５０、記録部１６０及び本実施形態の基板支持構造１８０を含む制御部１７０が配設されている。
【００１１】
操作部１１０は、略長矩形状の操作パネル１１１を備えている。この操作パネル１１１には、操作状態等を表示するユニット化された液晶ディスプレイ１１２と、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１２】
メモリカードスロット部１２０は、図示矢印ｂ方向に開閉自在なカバー１２１で覆われている。このメモリカードスロット部１２０は、複数スロット形成され、複数種類のメモリカードに対応可能に構成されている。ユーザは、インクジェット式プリンタ１００をパーソナルコンピュータに接続しなくても、インクジェット式プリンタ１００単独の状態でメモリカードスロット部１２０にメモリカードを差し込むのみで、メモリカードに格納されている画像等を記録することができる。
【００１３】
給紙部１３０は、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｃ方向に回動可能に取り付けられている。ユーザは、インクジェット式プリンタ１００を使用又は不使用のときは、ペーパーサポート１３２の両側に指を掛けてペーパーサポート１３２を開閉することができるので、用紙の差し入れを容易に行うことができ、また給紙口１３１内への埃の侵入を防止することができる。
【００１４】
排紙部１４０は、前方に向かって矩形状に開口した排紙口１４１を開閉する機能と、内部に設けられた排紙される用紙を１枚もしくは複数枚スタックするスタッカ１４３（図２参照）を覆う機能を併せ持ったカバースタッカ１４２を備えている。このカバースタッカ１４２は、下端の回転軸を中心に図示矢印ｄ方向に回動可能に取り付けられている。ユーザは、インクジェット式プリンタ１００を使用又は不使用のときは、カバースタッカ１４２の上部に指を掛けてカバースタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００１５】
用紙搬送部１５０は、紙送りローラ１５１及び排紙ローラ１５２等を備えている。給紙部１３０から給送される用紙は、図示しない紙送りモータにより回転される紙送りローラ１５１及び排紙ローラ１５２により搬送されて排紙される。この紙送りモータは、ロータリーエンコーダ１５３により駆動制御される。記録部１６０は、キャリッジ１６１及び図示しない記録ヘッド等を備えている。紙送りローラ１５１により搬送される用紙は、図示しないキャリッジモータにより走査されるキャリッジ１６１に搭載された記録ヘッドにより記録される。この記録ヘッドは、フルカラー印刷が可能なように、キャリッジ１６１内に収納された例えばイエロー、マゼンタ、シアン、ブラックの計４色の図示しないインクカートリッジから各色インクが供給される。
【００１６】
制御部１７０は、プリンタコントローラを構成するメイン基板１７１を備えている。このメイン基板１７１は、ＣＰＵ、ＲＯＭ、ＲＡＭ、ＡＳＩＣ等の制御素子１７２、記憶素子やその他の各種回路素子１７３並びにケーブルコネクタ１７４及びＵＳＢ等のインターフェイスコネクタ１７５が実装され、プリントエンジンを構成する用紙搬送部１５０と記録部１６０の図示上方左側に水平配置されている。このメイン基板１７１が、本実施形態の基板支持構造１８０に支持されており、以下図面を参照して説明する。
【００１７】
図３は、上記基板支持構造１８０を示す斜視図、図４は、上記基板支持構造１８０に支持されたメイン基板１７１を示す斜視図、図５は、上記基板支持構造１８０に支持されたメイン基板１７１のインクジェット式プリンタ１００における装着状態を示す斜視図である。この基板支持構造１８０は、図３〜図５に示す支持柱１８１、図４に示す基板固定ネジ１８２及び図５に示す支持柱固定ネジ１８３を備えている。支持柱１８１は、板金により水平断面形状が略Ｌ字の柱状に形成されており、頂部１８１ａは内側に直角に折り曲げられて基板固定ネジ１８２が螺合されるネジ穴１８１ｂが開けられ、底部１８１ｃは外側に直角に折り曲げられて支持柱固定ネジ１８３が螺合されるネジ穴１８１ｄが開けられている。
【００１８】
このような構成において、基板支持構造１８０を用いてメイン基板１７１をインクジェット式プリンタ１００に装着する手順について説明する。先ず、図５に示すように、上部のハウジング１０１を取り付ける前のインクジェット式プリンタ１００に対し、支持柱１８１を下部のハウジング１０１の図示左背面側に配置する。そして、支持柱１８１の底部１８１ｃに穿孔されているネジ穴１８１ｄと、下部のハウジング１０１に立設されているリブ１０１ａの頂部に穿孔されている図示しないネジ穴とを合わせる。そして、支持柱固定ネジ１８３を、支持柱１８１の底部１８１ｃ側からネジ穴１８１ｄに挿入して、ハウジング１０１のリブ１０１ａのネジ穴に螺合して締結する。以上により、下部のハウジング１０１に支持柱１８１を取り付けることができる。
【００１９】
次に、図４に示すように、支持柱１８１の頂部１８１ａにメイン基板１７１の一角部１７１ａ、この例ではインターフェイスコネクタ１７５が実装されている側の一角部１７１ａを載置する。そして、支持柱１８１の頂部１８１ａに穿孔されているネジ穴１８１ｂと、メイン基板１７１の一角部１７１ａに穿孔されている図示しないネジ穴とを合わせる。そして、基板固定ネジ１８２を、メイン基板１７１側から一角部１７１ａのネジ穴に挿入して、支持柱１８１の頂部１８１ａのネジ穴１８１ｂに螺合して締結する。以上により、支持柱１８１にメイン基板１７１を取り付けることができ、メイン基板１７１を用紙搬送部１５０と記録部１６０の図示上方左側に水平配置することができる。
【００２０】
図６は、上記基板支持構造１８０の別例を図３に対応させて示す斜視図、図７は、図６の基板支持構造１８０に支持されたメイン基板１７１を図４に対応させて示す斜視図、図８は、図６の基板支持構造１８０に支持されたメイン基板１７１のインクジェット式プリンタ１００における装着状態を図５に対応させて示す斜視図であり、同一構成箇所は同一番号を付して説明を省略する。この基板支持構造１８０は、支持柱１８４が図３等に示す支持柱１８１と異なる形状、即ち板金により水平断面形状がコの字の角柱棒状に形成されており、頂部１８４ａは塞がれて基板固定ネジ１８２が螺合されるネジ穴１８４ｂが開けられ、底部１８４ｃは外側三方に折り曲げられて対向する折り曲げ部に支持柱固定ネジ１８３が螺合されるネジ穴１８４ｄが開けられている。このような形状の支持柱１８４の場合は、メイン基板１７１の重量を支持柱１８４のみにより支持することが困難であるおそれがあるため、メイン基板１７１の前側の２つの角部１７１ｂ、１７１ｃをネジ１８５、１８６によりハウジング１０１ｂに固定して補強する。尚、必要に応じてメイン基板１７１の後側の角部１７１ｄをハウジング１０１から吊り下げるようにしても良い。
【００２１】
以上のように、本実施形態の基板支持構造１８０によれば、ハウジング１０１の上方に水平配置されたメイン基板１７１を支持する独立構成の支持柱１８１、１８４を備えているので、インクジェット式プリンタ１００の機構部である用紙搬送部１５０や記録部１６０に左右されずに用紙搬送部１５０や記録部１６０の上方に水平配置されるメイン基板１７１を支持することができる。このメイン基板１７１は、用紙搬送部１５０や記録部１６０が配設される図５に示すフレーム１０３の上方に離間して配置されるので、上記フレーム１０３とメイン基板１７１とは直接接触せず、用紙搬送部１５０や記録部１６０がメイン基板１７１を上方に水平配置する機種専用となることを防止することができる。
【００２２】
また、支持柱１８１、１８４は、下部のハウジング１０１に設置されているので、用紙搬送部１５０や記録部１６０の形状に左右されずに空いている所に支持柱１８１を配置することができる。また、メイン基板１７１は、支持柱１８１のみ、もしくは支持柱１８４とハウジング１０１ｂにより支持されているので、上部のハウジング１０１を最後まで組付けなくてもインクジェット式プリンタ１００の生産時における記録等のテストが可能となる。また、支持柱１８１、１８４は、メイン基板１７１の一角部１７１ａを支持するので、支持柱１８１、１８４は１本のみで良く、支持柱１８１、１８４の下部のハウジング内における配置の自由度を高めることができる。また、支持柱１８１、１８４は、板金により製作されているので、支持柱１８１、１８４を低コストで製作することができる。
【産業上の利用可能性】
【００２３】
基板支持構造１８０を備えた電子機器であれば、例えばファクシミリ装置、コピー装置、スキャナ等の記録装置を含む一般的な電子機器であっても適用可能である。
【図面の簡単な説明】
【００２４】
【図１】本発明の一実施の形態に係る基板支持構造を備えた電子機器である記録装置の外観構成の全体を示す斜視図である。
【図２】図１の記録装置の内部構造を示す斜視図である。
【図３】図１の記録装置の基板支持構造を示す斜視図である。
【図４】図３の基板支持構造に支持されたメイン基板を示す斜視図である。
【図５】図３の基板支持構造に支持されたメイン基板の記録装置における装着状態を示す斜視図である。
【図６】図１の記録装置の基板支持構造の別例を示す斜視図である。
【図７】図６の基板支持構造に支持されたメイン基板を示す斜視図である。
【図８】図６の基板支持構造に支持されたメイン基板の記録装置における装着状態を示す斜視図である。
【符号の説明】
【００２５】
１００  インクジェット式プリンタ、１０１  ハウジング、１０３  フレーム、１１０  操作部、１１１  操作パネル、１１２  液晶ディスプレイ、１１３  ボタン、１２０  メモリカードスロット部、１３０  給紙部、１４０  排紙部、１５０  用紙搬送部、１６０  記録部、１７０  制御部、１７１  メイン基板、１８０  基板支持構造、１８１、１８４  支持柱、１８２  基板固定ネジ、１８３  支持柱固定ネジ
【図１】
2008044132.tif 000003
【図２】
2008044132.tif 000004
【図３】
2008044132.tif 000005
【図４】
2008044132.tif 000006
【図５】
2008044132.tif 000007
【図６】
2008044132.tif 000008
【図７】
2008044132.tif 000009
【図８】
2008044132.tif 000010